(57)【要約】【課題】  燃焼炉１の全体の組立て・解体を迅速に行い、山間僻地であっても緊急の焼却処理作業を可能とする。【解決手段】  燃焼室１２ｃ内に投入された処理物を焼却する燃焼炉１を構成する各要素１１，１２どうしの接合部分に燃焼用空気を供給する空気供給路１１ｆ，１２ｄを設けたことにより、各要素１１ｆ，１２ｄどうしの接合部分に従来のような充填材を介挿する必要をなくしてそれらの各要素１１ｆ，１２ｄどうしの接合作業が極めて迅速に行われるように構成したもの。【選択図】      図２
2006275306.tif 000002
【特許請求の範囲】
【請求項１】
燃焼室内に投入された処理物を焼却する燃焼炉を備えた組立移動式焼却炉において、
前記燃焼炉の少なくとも一部が複数の要素に分割可能かつ接合可能に構成されているとともに、
前記各要素どうしを接合したときに形成される隙間が、前記燃焼炉に対して燃焼用空気を供給する空気供給路を構成していることを特徴とする組立移動式焼却炉。
【請求項２】
前記空気供給路には、前記燃焼炉に対して正圧の燃焼用空気を供給する空気供給源が連通されていることを特徴とする請求項１記載の組立移動式焼却炉。
【請求項３】
前記燃焼炉を構成する要素が、火格子を有する炉基部と、燃焼室を有する炉体部とを含み、
前記炉基部の上部側に前記炉体部を組み付けたときに、前記炉基部の外周側から、前記火格子の直下部および直上部における各燃焼室に至る空気供給路を構成する隙間がそれぞれ形成されることを特徴とする請求項１記載の組立移動式焼却炉。
【請求項４】
前記処理物が、伝染病に感染した養鶏であることを特徴とする請求項１記載の組立移動式焼却炉。
【発明の詳細な説明】
【技術分野】
【０００１】
本発明は、種々の処理物を焼却する燃焼炉を備えた組立移動式焼却炉に関する。
【背景技術】
【０００２】
近年、焼却炉の全体を必要な場所に搬送し、その搬送場所で処理物の焼却を行う必要性が生じている。例えば、養鶏舎で飼われている養鶏が鳥インフルエンザなどのような伝染性の病気に感染した場合には、病原菌の散逸を防いで被害を最小限に抑えることが必要となるため、それらの被感染鶏を養鶏舎が建てられている現地において一括・大量に焼却すし、それによって病原菌を早期に撲滅することが望まれる。そのような要請から、焼却炉を全国各地の適宜の要所に予め保管しておき、緊急時にその焼却炉を現地に搬送することにより短期間のうちに処理を完了し、処理完了後には焼却炉を元の保管場所に戻して次の出動に備えるような対策が考えられている。
【０００３】
ところが、養鶏舎などが設けられている焼却の処理現場は、ほとんどの場合には山間僻地であり、そのために焼却炉の運搬条件は劣悪なものとなっている。例えば上述した養鶏場の場合には、飼育数が平均三万羽程度もあり、そのような多数の養鶏鶏の処理に必要とされる焼却炉の規模を考慮してみると、直ちに使用可能な状態で焼却炉を搬入することは不可能といえる。
【０００４】
すなわち、従来の焼却炉を運搬可能な大きさの要素に分解し、それら複数の要素を現地で組み立てるとすると、燃焼ガスの漏出や外気の侵入を防止するため金属部材どうしの接合部分にはパッキン材を挟んでボルト・ナット等により締め付けることが行われるが、燃焼炉を構成している耐火部材どうしを接合するにあたっては、精度上の観点から予め耐火材どうしの間に十分な隙間を設けておき、その隙間内に同じく耐火性の充填材を介挿させることが行われる。ところが、そのときに用いられる充填材は、耐火材と水とを練ってから型に流し込んで作製されるものが多いため、その充填材の作製・充填に多大な時間を要することとなって短時間での組立作業が極めて困難なものとなる。また、撤収の際におけるの解体作業にも多大な時間を要することとなる。
【０００５】
【特許文献１】特開２００４−１７７１００号公報
【発明の開示】
【発明が解決しようとする課題】
【０００６】
そこで本発明は、燃焼炉の組立て・解体を迅速に行うことができるようにした組立移動式焼却炉を提供することを目的とする。
【課題を解決するための手段】
【０００７】
上記目的を達成するため請求項１にかかる組立移動式焼却炉では、燃焼室内に投入された処理物を焼却する燃焼炉を備えた組立移動式焼却炉において、前記燃焼炉の少なくとも一部が複数の要素に分割可能かつ接合可能に構成されているとともに、前記各要素どうしを接合したときに形成される隙間が、前記燃焼炉に対して燃焼用空気を供給する空気供給路を構成するものとなされている。
【０００８】
このような構成を有する本発明の請求項１にかかる組立移動式焼却炉によれば、分割された各要素どうしが空気供給路を介して接合されるため、それらの各要素どうしの接合部分に従来のような充填材を介挿する必要がなくなり、各要素どうしの接合作業が極めて迅速に行われるようになっている。
【０００９】
また、請求項２にかかる組立移動式焼却炉では、上記請求項１における空気供給路には前記燃焼炉に対して正圧の燃焼用空気を供給する空気供給源が連通されている。
【００１０】
このような構成を有する本発明の請求項２にかかる組立移動式焼却炉によれば、空気供給路内の空気が燃焼炉側に正圧状態で送り込まれるため、燃焼炉内の燃焼ガスが空気供給路を通して外部に漏れることが良好に防止されるようになっている。
【００１１】
また、請求項３にかかる組立移動式焼却炉では、上記請求項１における燃焼炉を構成する要素が、火格子を有する炉基部と、燃焼室を有する炉体部とを含み、前記炉基部の上部側に前記炉体部を組み付けたときに、前記炉基部の外周側から、前記火格子の直下および直上における各燃焼室に至る空気供給路を構成する隙間がそれぞれ形成されてるようになされている。
【００１２】
このような構成を有する本発明の請求項３にかかる組立移動式焼却炉によれば、燃焼用空気が、炉基部の外周側から空気供給路を通って火格子の直下および直上の各燃焼室に送り込まれるため、各燃焼室における燃焼作用が良好に行われるようになっている。
【００１３】
また、請求項４にかかる組立移動式焼却炉では、上記請求項１における処理物が、伝染病に感染した養鶏である。
【００１４】
このような構成を有する本発明の請求項４にかかる組立移動式焼却炉によれば、被感染養鶏の処理が養鶏場の現地で容易に行われるようになっている。
【発明の効果】
【００１５】
以上述べたように本発明にかかる組立移動式焼却炉は、燃焼室内に投入された処理物を焼却する燃焼炉を構成する各要素どうしの接合部分に燃焼用空気を供給する空気供給路を設けたことにより、各要素どうしの接合部分に従来のような充填材を介挿する必要をなくしてそれらの各要素どうしの接合作業が極めて迅速に行われるように構成したものであるから、燃焼炉の全体の組立て・解体を迅速に行うことができ、山間僻地であっても緊急の焼却処理作業が可能となる。
【発明を実施するための最良の形態】
【００１６】
以下、本発明による廃棄物焼却炉の実施形態を図面に基づいて詳細に説明する。
図１および図２に示されている廃棄物焼却炉は、鳥インフルエンザなどの伝染病に感染した養鶏を焼却処理する移動組立式の焼却炉の一実施形態を表したものであって、内部に主燃焼室が設けられたほぼ直方体状をなすように形成された焼却炉本体１と、この焼却炉本体１の上部に取り付けられたほぼ横長円筒状の再燃焼炉２とを有している。そして、前記焼却炉本体１内の主燃焼室において発生した燃焼ガスのガス流は、前記再燃焼炉２内の再燃焼室に送られて旋回されつつ再燃焼され、その再燃焼炉２の再燃焼室によって生成された完全燃焼ガスが、当該再燃焼炉２に取り付けられた煙突３を通して外部に排出される構成になされている。
【００１７】
このとき、上述した焼却炉本体１、再燃焼炉２および煙突３は、元々別個の要素としてそれぞれ製造されるものであることから、それらを分解した状態で現地まで搬入し、当該現地において再度組み立てようにすることには大きな問題を生じることはない。ところが、被感染鶏の処理規模からすると、上述した焼却炉本体１の単独でも重量が１１トン程度の大型のものが必要となり、焼却炉本体１のそれ自体で通常の１０トントラックでは搬送することができなくなるおそれがある。そのため本実施形態では、焼却炉本体１を次のような分割可能かつ組立可能な構造としている。
【００１８】
すなわち、特に図２に示されているように、上述した焼却炉本体１は、必要とされる設置場所に据え付けられる炉基部１１と、その炉基部１１に対して上部側から取り付けられる炉体部１２との二つの要素に分割された構造になされており、それらの炉基部１１と炉体部１２とが互いに接合される構成されている。
【００１９】
それら二つの各要素うちの一方側の要素を構成している炉基部１１は、灰室１１ａを形成する灰室壁部１１ｂを備えている。この灰室壁部１１ｂは、上部開口形容器状の耐火性部材から形成されており、当該灰室壁部１１ｂの上部に、同じく耐火性部材からなる火格子１１ｃが配置されている。
【００２０】
一方、上述した灰室壁部１１ｂの外周側には、断面略矩形状をなす空気ダクト１１ｄが当該灰室壁部１１ｂの外周面を取り囲むように環状に配置されている。この空気ダクト１１ｄは、燃焼用空気を供給する空気供給路として設けられたものであって、当該空気ダクト１１ｄ内に外部空気を送り込むように取り付けた送風機１１ｅの送風作用により機外の空気が正圧状態で空気ダクト１１ｄ内に送り込まれるようになっている。
【００２１】
また、上述した灰室壁部１１ｂの上端面および前記火格子１１ｃの下端面は、それぞれ環状の平坦面から形成されていて、それらの灰室壁部１１ｂの環状上端面と、火格子１１ｃの環状下端面とが、図示上下方向である高さ方向に互いに対面することによって略半径方向に延在する適宜の隙間が形成されている。そして、その半径方向隙間によって一次空気供給路１１ｆが形成されている。この一次空気供給路１１ｆは、前述した空気ダクト１１ｄの内周面側から前記灰室壁部１１ｂの内部側である灰室１１ａ内までを連通するように延在しており、前記空気ダクト１１ｄ内の正圧空気が一次空気供給路１１ｆから前記灰室１１ａの内部側に向かって一次燃焼空気として噴出されるようになっている。この灰室１１ａ内に噴出された一次燃焼空気は、前記火格子１１ｃの直下領域に供給され、当該火格子１１ｃ上に処理物として投入された被感染鶏を燃焼させるために用いられるようになっている。
【００２２】
一方、前述した分割可能な二要素のうちの他方側の要素である炉体部１２は、前記炉基部１１に対して上方側から覆うように取り付けられる構成になされていて、当該炉体部１２の外周側に突出するように設けられた環状継手１２ａを利用することによって前記炉基部１１側に対してボルト・ナット等の機械的固定手段を介して接合される構成になされている。そして、この炉体部１２を構成している耐火性壁部１２ｂが、上述した火格子１１ｃの外周壁面の外側に装着されることによって前記火格子１１ｃの直上に主燃焼室（貯介室）１２ｃが形成され、上述したように前記火格子１１ｃ上に送り込まれた処理物としての被感染鶏の燃焼が行われる構成になされている。
【００２３】
このとき、上述した炉体部１２の耐火性壁部１２ｂの内周壁面と、前記炉基部１１を構成している火格子１１ｃの外周壁面との間には、略鉛直方向に延在する適宜の隙間が形成される構成になされており、その鉛直方向隙間によって二次空気供給路１２ｄが形成されるようになっている。この二次空気供給路１２ｄは、前述した正圧の空気供給源としての空気ダクト１１ｄの上壁面側から前記主燃焼室１２ｃの内部までを連通するように設けられており、前記空気ダクト１１ｄ内の正圧空気が、前記主燃焼室１２ｃを通って前述した再燃焼炉２の内部に向かって再燃焼用の二次燃焼空気として供給されるようになっている。
【００２４】
一方、このような分割構成を有する焼却炉本体１の外部側立壁面には、上述した主燃焼室１２ｃ内に廃棄物としての被感染鶏を投入するための投入口４が設けられている。この投入口４には、適宜のタイミンクで開閉される二重扉（図示省略）が設けられているとともに、当該投入口４から斜め上方に向かって延出するようにして投入シュート４ａが取り付けられている。この投入シュート４ａの上端部には投入蓋４ｂが開閉可能に取り付けられており、その投入蓋４ｂを開放することによって、処理物としての被感染鶏が、上述した火格子１１ｃ上に向かって順次送り込まれるようになっている。
【００２５】
このとき、前記投入口４に設けられた二重扉（図示省略）は、前記投入シュート４ａの投入蓋４ｂの開閉と連動して開閉されるように構成されており、それらを適宜に開閉制御することによって、投入された被感染鶏が前記主燃焼室１２ｃの内部に向かって適量ずつ送り込まれるようになっている。なお、このような投入・燃焼の各操作は、操作盤５に設けられたキー操作によって制御される。
【００２６】
このような構成を有する本実施形態にかかる組立移動式焼却炉によれば、焼却炉本体１における分割可能かつ組立可能な要素を構成している炉基部１１と炉体部１２との二つの要素どうしが、空気供給路１１ｆ，１２ｄを介して接合される構成になされているため、それらの両要素１１，１２どうしの接合部分に従来のような充填材を介挿する必要がなくなる。したがって、これら両要素１１，１２どうしの接合作業が極めて迅速に行われるようになっている。
【００２７】
このとき、特に本実施形態では、空気供給路１１ｆ，１２ｄ内の空気が、火格子１１ｃの直下および直上の各燃焼室に正圧状態で送り込まれるため、燃焼室内の燃焼ガスが空気供給路を通して外部に漏れることが良好に防止される。また、燃焼用空気が炉基部１１の外周側から空気供給路１１ｆ，１２ｄを通って火格子１１ｃの直下および直上の各燃焼室に送り込まれるため、それらの各燃焼室における燃焼作用が良好に行われるようになっている。
【００２８】
以上、本発明の実施の形態を具体的に説明したが、本発明は上記の実施形態に限定されるものではなく、その要旨を逸脱しない範囲で種々変更可能であることはいうまでもない。
【００２９】
例えば、上述した実施形態では、焼却炉本体における二つの要素を分割可能かつ組立可能としたが、三つ以上の要素としてもよく、さらには焼却炉本体以外の部位を複数の分割可能な要素から構成することもできる。にかあの
【００３０】
さらに上述した実施形態は、被感染鶏を処理するための焼却炉に本発明を適用したものであるが、本発明はこれに限定されることはなく、その他の多種多様な処理物を焼却する焼却炉に対しても本発明は同様に適用することが可能である。
【産業上の利用可能性】
【００３１】
以上述べた本発明にかかる組立移動式焼却炉は、多種多様な処理物を焼却するように構成することが可能である。
【図面の簡単な説明】
【００３２】
【図１】本発明を適用した組立移動式焼却炉の一実施形態を示す外観斜視説明図である。
【図２】図１に表した組立移動式焼却炉における焼却炉本体の構造を表した縦断面説明図である。
【符号の説明】
【００３３】
１  焼却炉本体
２  再燃焼炉
１１  炉基部（要素）
１１ａ  灰室
１１ｂ  灰室壁部
１１ｃ  火格子
１１ｄ  空気ダクト（空気供給路／空気供給源）
１１ｅ  送風機（空気供給源）
１１ｆ  一次空気供給路
１２  炉体部（要素）
１２ａ  環状継手
１２ｂ  耐火性壁部
１２ｃ  主燃焼室（貯介室）
１２ｄ  二次空気供給路
３  煙突
４  投入口
４ａ  の投入シュート
４ｂ  投入蓋
５  操作盤
【図１】
2006275306.tif 000003
【図２】
2006275306.tif 000004